(57)【要約】【課題】小型化を実現しつつ、操作性の高い電子カメラを提供する。【解決手段】複数の撮影画像を記録する記録部と、記録部に記録された撮影画像を表示する表示部と、表示部に表示された撮影画像の拡大または縮小を選択する第１の操作部と、表示部に表示された撮影画像の位置を選択する第２の操作部と、第１の操作部における選択と第２の操作部における選択との少なくとも一方に応じて、表示部に表示された撮影画像を変更する変更部とを備え、第１の操作部は、回転操作可能な部材を備え、第２の操作部は、支点を中心に多方向傾斜可能な部材を備え、かつ、多方向傾斜可能な部材の支点は、回転可能な部材の回転軸上にある。【選択図】      図３
2005045359.tif 000002
【特許請求の範囲】
【請求項１】
複数の撮影画像を記録する記録部と、
前記記録部に記録された前記撮影画像を表示する表示部と、
前記表示部に表示された前記撮影画像の拡大または縮小を選択する第１の操作部と、
前記表示部に表示された前記撮影画像の位置を選択する第２の操作部と、
前記第１の操作部における選択と前記第２の操作部における選択との少なくとも一方に応じて、前記表示部に表示された前記撮影画像を変更する変更部とを備え、
前記第１の操作部は、回転操作可能な部材を備え、前記第２の操作部は、支点を中心に多方向傾斜可能な部材を備え、かつ、前記多方向傾斜可能な部材の前記支点は、前記回転可能な部材の回転軸上にあることを特徴とする電子カメラ。
【請求項２】
複数の撮影画像とそれぞれの画像の識別情報とを記録する記録部と、
前記記録部に記録された前記撮影画像を表示する表示部と、
前記記録部に記録された複数の前記撮影画像から、特定の画像を選択する第１の操作部と、
前記表示部に表示される前記撮影画像の枚数と、前記表示部に表示される前記撮影画像の前記識別情報の種類との少なくとも一方を選択する第２の操作部と、前記第１の操作部における選択と前記第２の操作部における選択との少なくとも一方に応じて、前記表示部に表示された前記撮影画像を変更する変更部とを備え、
前記第１の操作部は、回転操作可能な部材を備え、前記第２の操作部は、支点を中心に多方向傾斜可能な部材を備え、かつ、前記多方向傾斜可能な部材の前記支点は、前記回転可能な部材の回転軸上にあることを特徴とする電子カメラ。
【請求項３】
請求項１または請求項２に記載の電子カメラにおいて、
少なくとも再生モードと撮影モードとを含む複数の動作モードから、１つの動作モードを選択する第３の操作部をさらに備え、
前記第３の操作部は、回転操作可能な部材を備え、かつ、その回転軸は、前記第１の操作部の前記回転可能な部材の前記回転軸と一致することを特徴とする電子カメラ。
【発明の詳細な説明】
【０００１】
【発明の属する技術分野】
本発明は、撮影画像を表示する機能を備えた電子カメラに関する。
【０００２】
【従来の技術】
従来より、電子カメラには、撮影および再生にかかわる多種多様な操作を行うために、様々な部材が備えられている。例えば、特許文献１の発明では、再生画面における画像の拡大縮小を選択する部材と、再生画面における画像の２次元方向の位置を選択する部材とを備え、２つの部材を、左右の手でそれぞれ操作できるように配置している。
【０００３】
【特許文献１】
特開２０００−２１７０２４号公報
【０００４】
【発明が解決しようとする課題】
しかし、前述した電子カメラでは、２つの部材を左右の手でそれぞれ操作できるように配置しているため、基本的に両手を使わないと操作をスムーズに行うことができない。また、２つの部材を備えるための空間的な余裕が必要であり、小型化が難しい。
【０００５】
本発明の目的は、小型化を実現しつつ、操作性の高い電子カメラを提供することである。
【０００６】
【課題を解決するための手段】
請求項１に記載の電子カメラは、複数の撮影画像を記録する記録部と、前記記録部に記録された前記撮影画像を表示する表示部と、前記表示部に表示された前記撮影画像の拡大または縮小を選択する第１の操作部と、前記表示部に表示された前記撮影画像の位置を選択する第２の操作部と、前記第１の操作部における選択と前記第２の操作部における選択との少なくとも一方に応じて、前記表示部に表示された前記撮影画像を変更する変更部とを備え、前記第１の操作部は、回転操作可能な部材を備え、前記第２の操作部は、支点を中心に多方向傾斜可能な部材を備え、かつ、前記多方向傾斜可能な部材の前記支点は、前記回転可能な部材の回転軸上にあることを特徴とする。
【０００７】
請求項２に記載の電子カメラは、複数の撮影画像とそれぞれの画像の識別情報とを記録する記録部と、前記記録部に記録された前記撮影画像を表示する表示部と、前記記録部に記録された複数の前記撮影画像から、特定の画像を選択する第１の操作部と、前記表示部に表示される前記撮影画像の枚数と、前記表示部に表示される前記撮影画像の前記識別情報の種類との少なくとも一方を選択する第２の操作部と、前記第１の操作部における選択と前記第２の操作部における選択との少なくとも一方に応じて、前記表示部に表示された前記撮影画像を変更する変更部とを備え、前記第１の操作部は、回転操作可能な部材を備え、前記第２の操作部は、支点を中心に多方向傾斜可能な部材を備え、かつ、前記多方向傾斜可能な部材の前記支点は、前記回転可能な部材の回転軸上にあることを特徴とする。
【０００８】
請求項３に記載の電子カメラは、請求項１または請求項２に記載の電子カメラにおいて、少なくとも再生モードと撮影モードとを含む複数の動作モードから、１つの動作モードを選択する第３の操作部をさらに備え、前記第３の操作部は、回転操作可能な部材を備え、かつ、その回転軸は、前記第１の操作部の前記回転可能な部材の前記回転軸と一致することを特徴とする。
【０００９】
【発明の実施の形態】
以下、図面を用いて、本発明の実施形態について詳細な説明を行う。
電子カメラ１は、図１に示すように、撮像部２、制御部３、画像処理部４、表示部５および記録部６を備え、これらはバスを介して相互に接続される。
なお、撮像部２は、不図示の光学系、被写体までの撮影距離などを測定する各種センサ、撮像素子、Ａ／Ｄ変換器などを備える。また、制御部３内の不図示メモリには、各部の動作プログラムが予め記録される。また、画像処理部４は、ホワイトバランス調整部、色再現処理部など（不図示）を備える。さらに、表示部５は、不図示の表示処理部と、図２に示す液晶モニタ８を備える。
【００１０】
さらに、電子カメラ１は、操作部７を備える。図１において、操作部７は制御部３に接続される。操作部７は、不図示の電源ボタン、レリーズボタンの他に、図２に示す複合スイッチ９を備える。複合スイッチ９は、電子カメラ１の背面の右側の部分に設けられる（詳細は後述する）。また、電子カメラ１は、図２に示すように、背面にファインダ１３を備える。ファインダ１３内には、撮像部２の不図示の光学系を通過した光の一部が投影される。
【００１１】
なお、制御部３、記録部６は、請求項の「記録部」に対応し、制御部３、表示部５は、請求項の「表示部」に対応する。また、制御部３、操作部７は、請求項の「第１の操作部」、「第２の操作部」、「第３の操作部」に対応する。また、制御部３、表示部５、操作部７は、請求項の「変更部」に対応する。
以下、本発明の特徴である操作部７の複合スイッチ９の構成、および複合スイッチ９による操作について説明する。
【００１２】
図３Ａは、複合スイッチ９の正面図であり、図３Ｂは、複合スイッチ９の側面図である。複合スイッチ９は、図３Ａおよび図３Ｂに示すように、機能選択レバー１０、回転ダイヤル１１、パッド１２を備える。
機能選択レバー１０、回転ダイヤル１１、パッド１２は、図３Ａに示すように略円形の形状であり、大きさ（半径）が異なる。大きさは、機能選択レバー１０が最も大きく、回転ダイヤル１１、パッド１２の順に小さくなる。そして、機能選択レバー１０、回転ダイヤル１１、パッド１２は、同心円状に層を成して配置される。図３Ｂに示すように、機能選択レバー１０が下段に配置され、回転ダイヤル１１が中段に配置され、パッド１２が上段に配置される。
【００１３】
機能選択レバー１０は、図３Ａおよび図３Ｂに示すように、回転軸ａを中心に、矢印ｂ１に示す円周方向に回転操作可能な部材である。そして、ユーザが、この機能選択レバー１０を回転操作して図３Ａに示す「Ｒｅｃ」，「Ｐｌａｙ」，「Ｍｅｎｕ」，「ＳｅｔＵｐ」のいずれかの項目に指標ｃを合わせると、制御部３はこれを検知し、１つの動作モードを選択する。図３Ａでは、指標ｃが「Ｐｌａｙ」に合わせられ、再生モードが選択される例を示す。
【００１４】
図３Ａにおいて、「Ｒｅｃ」は撮影モードを示し、「Ｐｌａｙ」は再生モードを示し、「Ｍｅｎｕ」はメニューモードを示し、「ＳｅｔＵｐ」は、各種設定モードを示す。各動作モードの詳細は後述する。なお、機能選択レバー１０は、請求項の「第３の操作部」が備える「回転操作可能な部材」に対応する。
また、回転ダイヤル１１は、図３Ａおよび図３Ｂに示すように、回転軸ａを中心に、矢印ｄ１に示す円周方向に連続的に回転操作可能な部材である。つまり、回転ダイヤル１１の回転軸と、機能選択レバー１０の回転軸とは一致している。そして、回転ダイヤル１１は、不図示のエンコーダを備える。このエンコーダによって計測される回転ダイヤル１１の回転角度は、制御部３により検知される。回転ダイヤル９は、再生モードにおいて選択対象の画像を選択したり、画像の拡大または縮小を選択するための操作部材として機能する（詳細は後述する）。
【００１５】
なお、回転ダイヤル１１は、請求項の「第１の操作部」が備える「回転操作可能な部材」に対応する。
また、パッド１２は、図３Ａおよび図３Ｂの支点ｆを中心に、矢印ｅ１およびｅ２に示す４方向に傾斜可能であり、また、中心（支点ｆと一致する）を矢印ｇの方向に押圧可能な部材である。支点ｆは、図３Ｂに示すように、機能選択レバー１０および回転ダイヤル１１の回転軸ａ上にある。パッド１２の傾斜方向およびパッド１２の中心の押圧は、制御部３により検知される。パッド１２は、再生モードにおいて、表示する画像の識別情報の種類を選択したり、画像の表示枚数を選択したり、表示される画像の位置を選択するための操作部材として機能する（詳細は後述する）。
【００１６】
なお、パッド１２は、請求項の「第２の操作部」が備える「多方向傾斜可能な部材」に対応する。
以上説明したように、複合スイッチ９は、機能選択レバー１０、回転ダイヤル１１、パッド１２を集約して設けられているので、電子カメラ１を把持した状態を保ちながら、右手の指１本で、一連の処理を操作可能である。
【００１７】
次に、以上説明した構成の複合スイッチ９による操作について説明する。
操作部７の不図示の電源ボタンが「ＯＮ」されると、制御部３は、複合スイッチ９の機能選択レバー１０によりいずれの動作モードが選択されているかを検知する。そして、選択されている動作モードごとの動作を行う。また、複合スイッチ９の機能選択レバー１０により、動作モードが変更された場合には、制御部３は、変更後の動作モードの動作を行う。以下、各動作モードの詳細を説明する。
【００１８】
（１）撮影モード（図３Ａの指標ｃが「Ｒｅｃ」に合わせられている場合）
複合スイッチ９の機能選択レバー１０により撮影モードが選択されていることを検知すると、制御部３は、表示部５の液晶モニタ８に撮影モード用のメニューを表示する。図４にメニューの表示例を示す。
図４に示すように、表示部５の液晶モニタ８には、撮影モード用のメニューの各項目が表示されるとともに、選択枠８１が表示される。選択枠８１の移動は、複合スイッチ９の回転ダイヤル１１を操作することにより行われる。ユーザが、複合スイッチ９の回転ダイヤル１１を操作して、選択枠８１を選択したい項目上に移動させ、複合スイッチ９のパッド１２の中心を押圧すると、制御部３はこれを検知し、１つの項目を決定する。
【００１９】
・撮影シーン選択・・・予め用意された「ポートレート」、「風景」など複数の撮影シーンから、１つの撮影シーンを選択する。
・ＡＦ・ＡＥ設定・・・ＡＦエリアの選択、マニュアルまたはオートの切り換えなどを行う。
・マニュアル設定・・・シャッタスピード、絞りなどを設定する。
【００２０】
・ホワイトバランス設定・・・光源特性、プリセットホワイトバランスなどを設定する。
・画像サイズ設定・・・記録画像サイズ、画質などを設定する。
・発光設定・・・発光の条件、発光量などを設定する。
・動画撮影・・・動画の撮影を選択する。
【００２１】
なお、上記した各項目を決定した後、それぞれの項目における選択あるいは設定は、基本的に、複合スイッチ９のパッド１２を用いて行われる。例えば、ＡＦ・ＡＥ設定においてＡＦエリアを選択する場合には、ユーザが、複合スイッチ９のパッド１２を傾斜させていずれかのＡＦエリアを指示し、複合スイッチ９のパッド１２の中心を押圧すると、制御部３はこれを検知し、ＡＦエリアの選択を行う。また、上記した７つの項目以外に撮影にかかわる他の項目を設けても良い。
【００２２】
そして、上記した各項目における選択あるいは設定後に、ユーザにより操作部７の不図示のレリーズボタンが押圧されると、制御部３は、撮像部２を介して被写体像を撮像する。そして、制御部３は、画像処理部４を介して所定の画像処理を施す。そして、制御部３は、記録部６に画像処理後の画像を記録する。なお、撮像、画像処理、画像の記録は、前述した撮影モード用のメニューにおいて選択あるいは設定された内容にしたがって行われる。
【００２３】
さらに、画像の記録の際には、画像とともに、撮影時の撮影情報（撮影日時、シャッタスピード、露出、画像サイズなど）も記録される。
（２）再生モード（図３Ａの指標ｃが「Ｐｌａｙ」に合わせられている場合）
複合スイッチ９の機能選択レバー１０により再生モードが選択されていることを検知すると、制御部３は、図５に示すフローチャートにしたがって画像の再生を行う。
【００２４】
制御部３は、まず、記録部６から最終撮影画像（最後に記録された画像）を読み出し、表示部５の液晶モニタ８に表示する（ステップＳ１）。図６に最終撮影画像の表示例を示す。画像の左下には、画像番号８２（図６では「１」）が表示される。
次に、制御部３は、複合スイッチ９のパッド１２が右または左方向に傾斜されたか否かを判定する（ステップＳ２）。ここで、複合スイッチ９のパッド１２は、表示部５の液晶モニタ８に表示される画像の識別情報の種類を選択するための操作部材として機能する。
【００２５】
複合スイッチ９のパッド１２が右または左方向に傾斜された場合（ステップＳ２Ｙｅｓ）、制御部３は、表示部５の不図示の表示処理部を介して、表示部５の液晶モニタ８に表示される画像の識別情報の種類を変更し（ステップＳ３）、ステップＳ２に戻り、ステップＳ２以降の処理を繰り返す。
ここで、識別情報とは、画像番号や撮影情報などの画像にかかわる情報であり、表示部５の液晶モニタ８に、画像とともに表示される。識別情報の種類の変更について、図７Ａ１、図７Ｂ１、図７Ｃ１を用いて説明する。なお、以下、図７、図８、図１０および図１１では、表示部５の液晶モニタ８の図示を省略し、表示部５の液晶モニタ８に表示される画像自体を図示する。図７Ａ１の画像は、ステップＳ１において表示された最終撮影画像である。図７Ａ１の画像には、画像番号８２が識別情報として表示されている。複合スイッチ９のパッド１２が左方向に傾斜された場合、制御部３は、表示部５の液晶モニタ８に、画像番号８２に加えて画像の右下に撮影情報８３を識別情報として表示する。この撮影情報８３は、画像とともに記録部６に記録されたものである。図７Ｂ１の画像は、撮影情報８３が表示された画像の例である。
【００２６】
逆に、複合スイッチ９のパッド１２が右方向に傾斜された場合、制御部３は、画像番号８２に加えて、上記した撮影情報８３を表示するとともに、画像に重ねてその画像の輝度分布を示すヒストグラム８４を識別情報として表示する。このヒストグラム８４は、画像をもとに、画像処理部４で算出される。図７Ｃ１の画像は、ヒストグラム８４が表示された画像の例である。
【００２７】
なお、表示部５の液晶モニタ８に、図７Ｂ１の画像が表示された状態で、複合スイッチ９のパッド１２がさらに左方向に傾斜された場合、制御部３は、表示する画像を図７Ｂ１の画像から図７Ｃ１の画像に変更する。右方向に関しても同様である。すなわち、制御部３は、複合スイッチ９のパッド１２が左方向に傾斜されるたびに、表示部５の液晶モニタ８に表示される画像を、図７Ａ１の画像、図７Ｂ１の画像、図７Ｃ１の画像の順に繰り返し変更し、複合スイッチ９のパッド１２が右方向に傾斜されるたびに、表示部５の液晶モニタ８に表示される画像を図７Ａ１の画像、図７Ｃ１の画像、図７Ｂ１の画像の順に繰り返し変更する。
【００２８】
一方、複合スイッチ９のパッド１２が右または左方向に傾斜されない場合（ステップＳ２Ｎｏ）、制御部３は、複合スイッチ９のパッド１２が上または下方向に傾斜されたか否かを判定する（ステップＳ４）。ここで、複合スイッチ９のパッド１２は、画像の表示枚数を選択するための操作部材として機能する。
複合スイッチ９のパッド１２が上または下方向に傾斜された場合（ステップＳ４Ｙｅｓ）、制御部３は、記録部６から、画像番号が「２」以降の画像を読み出し、表示部５の液晶モニタ８に複数枚の画像を表示することにより画像の表示枚数を変更し（ステップＳ５）、ステップＳ２に戻り、ステップＳ２以降の処理を繰り返す。画像の表示枚数の変更例を図７に示す。
【００２９】
複合スイッチ９のパッド１２が上方向に傾斜された場合、制御部３は、表示部５の液晶モニタ８に表示される画像の枚数を２枚（または４枚）に変更する。ステップＳ４の判定時に、表示部５の液晶モニタ８に図７Ａ１の画像が表示されていた場合には、表示部５の液晶モニタ８に表示される画像を図７Ａ２（４枚に変更）の画像に変更し、図７Ｂ１の画像が表示されていた場合には、表示部５の液晶モニタ８に表示される画像を図７Ｂ２（２枚に変更）の画像に変更し、図７Ｃ１の画像が表示されていた場合には、表示部５の液晶モニタ８に表示される画像を図７Ｃ２（２枚に変更）の画像に変更する。
【００３０】
逆に、複合スイッチ９のパッド１２が下方向に傾斜された場合、制御部３は、表示部５の液晶モニタ８に表示される画像の枚数を４枚（または１６枚）に変更する。ステップＳ４の判定時に、表示部５の液晶モニタ８に図７Ａ１の画像が表示されていた場合には、表示部５の液晶モニタ８に表示される画像を図７Ａ３（１６枚に変更）の画像に変更し、図７Ｂ１の画像が表示されていた場合には、表示部５の液晶モニタ８に表示される画像を図７Ｂ３（４枚に変更）の画像に変更し、図７Ｃ１の画像が表示されていた場合には、表示部５の液晶モニタ８に表示される画像を図７Ｃ３（４枚に変更）の画像に変更する。
【００３１】
なお、表示部５の液晶モニタ８に２枚以上の画像が表示される場合、制御部３は、画像番号が最も小さい画像に重ねて、選択枠８５を表示する。選択枠８５は撮影モードにおける選択枠８１と同様のものである（詳細は後述する）。
なお、表示部５の液晶モニタ８に、図７Ａ２の画像、図７Ｂ２の画像、図７Ｃ２の画像のいずれかが表示された状態で、複合スイッチ９のパッド１２がさらに上方向に傾斜された場合、制御部３は、表示する画像をそれぞれ図７Ａ３の画像、図７Ｂ３の画像、図７Ｃ３の画像に変更する。下方向に関しても同様である。すなわち、制御部３は、複合スイッチ９のパッド１２が上方向に傾斜されるたびに、画像を図７Ａ１の画像、図７Ａ２の画像、図７Ａ３の画像の順に繰り返し変更し、複合スイッチ９のパッド１２が下方向に傾斜されるたびに、画像を図７Ａ１の画像、図７Ａ３の画像、図７Ａ２の画像の順に繰り返し変更する。画像が図７Ｂ１〜図７Ｂ３の画像の場合および画像が図７Ｃ１〜Ｃ３の画像の場合も同様である。
【００３２】
一方、複合スイッチ９のパッド１２が上または下方向に傾斜されない場合（ステップＳ４Ｎｏ）、制御部３は、複合スイッチ９の回転ダイヤル１１が回転されたか否かを判定する（ステップＳ６）。ここで、複合スイッチ９の回転ダイヤル１１は、選択対象の画像を選択するための操作部材として機能する。
【００３３】
複合スイッチ９の回転ダイヤル１１が回転された場合（ステップＳ６Ｙｅｓ）、制御部３は、選択対象の画像を変更し（ステップＳ７）、ステップＳ２に戻り、ステップＳ２以降の処理を繰り返す。
選択対象の画像とは、表示部５の液晶モニタ８に１枚の画像が表示されているときは、その画像であり、複数の画像が表示されている場合には、選択枠８５が表示されている画像である。選択対象の画像は、請求項の「特定の画像」に対応する。制御部３は、複合スイッチ９の回転ダイヤル１１が所定の回転角度θ分回転されるたびに、この選択対象の画像を変更する。図８に表示例を示す。図８は１６枚の画像が表示されている場合の例である。表示部５の液晶モニタ８に、図８Ａの画像が表示された状態で、複合スイッチ９の回転ダイヤル１１が右方向に角度θ分回転されると、選択枠８５を図８Ｂの画像に示すように右側に１つ移動する。複合スイッチ９の回転ダイヤル１１が右方向に角度θ分回転されるごとに、同様の処理を行い、図８Ｃの画像に示すように、選択枠８５が右下端まで移動すると、図８Ａの画像に示すように、左上端に選択枠８５を移動する。複合スイッチ９の回転ダイヤル１１が左方向に回転される場合には、逆の動作を行う。
【００３４】
一方、複合スイッチ９の回転ダイヤル１１が回転されない場合（ステップＳ６Ｎｏ）、制御部３は、複合スイッチ９のパッド１２の中心が押圧されたか否かを判定する（ステップＳ８）。
複合スイッチ９のパッド１２の中心が押圧された場合（ステップＳ８Ｙｅｓ）、制御部３は、前述した選択対象の画像に対する画像の拡大縮小処理を図９に示すフローチャートにしたがって行う（ステップＳ９）。そして、制御部３は、ステップＳ２に戻り、ステップＳ２以降の処理を繰り返す。一方、複合スイッチ９のパッド１２の中心が押圧されない場合（ステップＳ８Ｎｏ）、制御部３は、ステップＳ２に戻り、ステップＳ２以降の処理を繰り返す。
【００３５】
図９に示すフローチャートにおいて、制御部３は、まず、表示部５の液晶モニタ８に、選択対象の画像のみを表示する（ステップＳ１１）。図１０Ａに選択対象の画像の表示例を示す。ここで、選択対象の画像とは、ステップＳ８の判定の際に、表示部５の液晶モニタ８に表示されていた画像（１枚のみ表示の場合）、または、選択枠８５が表示されていた画像（複数枚表示の場合）である。
【００３６】
次に、制御部３は、複合スイッチ９の回転ダイヤル１１が回転されたか否かを判定する（ステップＳ１２）。ここで、複合スイッチ９の回転ダイヤル１１は、画像の拡大または縮小を選択するための操作部材として機能する。
複合スイッチ９の回転ダイヤル１１が回転された場合（ステップＳ１２Ｙｅｓ）、制御部３は、表示部５の液晶モニタ８に表示される画像を拡大または縮小する（ステップＳ１３）。そして、制御部３は、ステップＳ１２に戻り、ステップＳ１２以降の処理を繰り返す。
【００３７】
複合スイッチ９の回転ダイヤル１１が左方向に回転された場合、制御部３は、表示部５の液晶モニタ８に表示される画像を所定倍率縮小する。なお、縮小できない場合には、縮小できないことを文字情報などを用いてユーザに通知する。逆に、複合スイッチ９の回転ダイヤル１１が右方向に回転された場合、制御部３は、表示部５の液晶モニタ８に表示される画像を所定倍率拡大する。なお、拡大できない場合には、縮小できない場合と同様にユーザに通知を行う。図１０に、拡大縮小した画像の表示例を示す。例えば図１０Ｂの画像が表示された状態で、複合スイッチ９の回転ダイヤル１１が左方向に回転されると、回転角度に応じて画像を縮小する。図１０Ａの画像は、縮小された画像の例である。図１０Ｂの画像が表示された状態で、逆に、複合スイッチ９の回転ダイヤル１１が右方向に回転されると、回転角度に応じて画像を拡大する。図１０Ｃの画像は、拡大された画像の例である。
【００３８】
一方、複合スイッチ９の回転ダイヤル１１が回転されない場合（ステップＳ１２Ｎｏ）、制御部３は、複合スイッチ９のパッド１２が左右上下いずれかの方向に傾斜されたか否かを判定する（ステップＳ１４）。ここで、複合スイッチ９のパッド１２は、表示される画像の位置を選択するための操作部材として機能する。
【００３９】
複合スイッチ９のパッド１２が左右上下いずれかの方向に傾斜された場合（ステップＳ１４Ｙｅｓ）、制御部３は、表示部５の液晶モニタ８における画像の表示位置を変更する（ステップＳ１５）。そして、制御部３は、ステップＳ１２に戻り、ステップＳ１２以降の処理を繰り返す。
複合スイッチ９のパッド１２が左方向に傾斜された場合には、制御部３は、表示部５の液晶モニタ８における画像の表示位置を左方向に所定量変更する。右方向および上下方向についても同様である。図１１Ｂの画像は、ステップＳ１３の判定時に、表示部５の液晶モニタ８に図１１Ａの画像が表示された状態で、複合スイッチ９のパッド１２が左方向に傾斜された場合の画像の例であり、図１１Ｃの画像は、同様に複合スイッチ９のパッド１２が右方向に傾斜された場合の画像の例であり、図１１Ｄの画像は、同様に複合スイッチ９のパッド１２が上方向に傾斜された場合の画像の例であり、図１０Ｅの画像は、同様に複合スイッチ９のパッド１２が下方向に傾斜された場合の画像の例である。
【００４０】
なお、左右上下いずれの方向についても、移動できない場合には、移動できないことを文字情報などを用いてユーザに通知する。
一方、複合スイッチ９のパッド１２が左右上下いずれの方向にも傾斜されない場合（ステップＳ１４Ｎｏ）、制御部３は、複合スイッチ９のパッド１２の中心が押圧されたか否かを判定する（ステップＳ１６）。
【００４１】
複合スイッチ９のパッド１２の中心が押圧された場合（ステップＳ１６Ｙｅｓ）、制御部３は、画像の拡大縮小処理を終了する。そして、制御部３は、図５のフローチャートのステップＳ２に戻り、ステップＳ２以降の処理を繰り返す。一方、複合スイッチ９のパッド１２の中心が押圧されない場合（ステップＳ１６Ｎｏ）、制御部３は、ステップＳ１２に戻り、ステップＳ１２以降の処理を繰り返す。
【００４２】
（３）メニューモード（図３Ａの指標ｃが「Ｍｅｎｕ」に合わせられている場合）
複合スイッチ９の機能選択レバー１０によりメニューモードが選択されていることを検知すると、制御部３は、表示部５の液晶モニタ８にメニューモード用のメニューを表示する。メニューモード用のメニューは、図４に示した撮影モード用のメニューと同様のメニューであり、外部機器（パーソナルコンピュータやプリンタなど）への転送やカスタム設定などの項目を含む。
【００４３】
そして、撮影モードの場合と同様に、ユーザが、複合スイッチ９の回転ダイヤル１１を操作して、選択枠を選択したい項目上に移動させ、複合スイッチ９のパッド１２の中心を押圧すると、制御部３はこれを検知し、１つの項目を決定する。なお、上記した項目以外に他の項目を設けても良い。
（４）各種設定モード（図３Ａの指標ｃが「ＳｅｔＵｐ」に合わせられている場合）
複合スイッチ９の機能選択レバー１０により各種設定モードが選択されていることを検知すると、制御部３は、表示部５の液晶モニタ８に各種設定モード用のメニューを表示する。各種設定モード用のメニューは、図４に示した撮影モード用のメニューと同様のメニューであり、日付時刻設定や使用言語設定などの項目を含む。
【００４４】
そして、撮影モードの場合と同様に、ユーザが、複合スイッチ９の回転ダイヤル１１を操作して、選択枠を選択したい項目上に移動させ、複合スイッチ９のパッド１２の中心を押圧すると、制御部３はこれを検知し、１つの項目を決定する。なお、上記した項目以外に他の項目を設けても良い。
以上説明したように、本実施形態によれば、被写体像を撮像して生成された画像を表示する際に、表示される画像の拡大または縮小を選択する回転操作可能な部材（複合スイッチ９の回転ダイヤル１１）と、表示される画像の位置を選択する多方向傾斜可能な部材（複合スイッチ９のパッド１２）とを備え、選択に応じて表示する画像を変更する。すなわち、回転可能な部材を用いて画像の拡大または縮小を行うので、直感的な操作が可能である。また、多方傾斜可能な部材を用いて画像の位置の選択を行うので、直感的な操作が可能である。
【００４５】
また、本実施形態によれば、被写体像を撮像して生成された画像を表示する際に、表示される画像のうち、特定の画像（選択対象の画像）を選択する回転操作可能な部材（複合スイッチ９の回転ダイヤル１１）と、表示される画像の枚数と画像の表示形態との少なくとも一方を選択する多方向傾斜可能な部材（複合スイッチ９のパッド１２）とを備え、選択に応じて表示する画像を変更する。すなわち、回転可能な部材を用いて特定の画像（選択対象の画像）の選択を行うので、直感的な操作が可能である。また、多方傾斜可能な部材を用いて表示される画像の枚数と画像の表示形態との少なくとも一方を選択するので、直感的な操作が可能である。
【００４６】
さらに、本実施形態によれば、多方向傾斜可能な部材（複合スイッチ９のパッド１２）の支点ｆは、回転可能な部材（複合スイッチ９の回転ダイヤル１１）の回転軸ａ上にある。そのため、ユーザは、電子カメラ１を把持した状態を保ちながら、片方の手の指１本で、一連の処理を行うことができるので操作性が高い。
また、２つの部材を１カ所に集約して設けることができる。そのため、２つの部材を並べて設ける場合に比べて、空間を節約することができるとともに、部品点数を減らすことができる。したがって、小型化が可能になるとともに、その他の部材（例えば表示部５の液晶モニタ８）の大きさや配置の自由度も向上する。
【００４７】
なお、複合スイッチ９に備えられた機能選択レバー１０、回転ダイヤル１１、パッド１２のそれぞれに割り当てる機能は、本実施形態の例に限定されない。例えば、撮影モードを実行する際に、複合スイッチ９のパッド１２の中心の押圧にレリーズに相当する機能を割り当てても良い。この場合、操作部７にレリーズボタンを備える必要がなくなる。また、いずれの操作部材にどのような機能を割り当てるかをユーザ操作に応じて設定可能にしても良い。
【００４８】
また、本実施形態では、複合スイッチ９を電子カメラ１の背面の右側に設けられる例を示したが、操作性に問題がなければ、どの位置に設けても良い。例えば、背面の左側に設ければ、左手のみで操作が可能になるので左利きのユーザに適した電子カメラとなる。
また、本実施形態では、複合スイッチ９の機能選択レバー１０により選択可能な動作モードとして、撮影モード、再生モード、メニューモード、各種設定モードの４種類のモードを設ける例を示したが、外部機器（パーソナルコンピュータやプリンタなど）への転送モードなどの動作モードをさらに選択可能に設けるようにしても良い。
【００４９】
また、本実施形態の各処理において、表示部５の液晶モニタ８に操作のガイドやヒントを、文字情報やイラストを用いて表示するようにしても良い。例えば、「回転ダイヤルを回転させて、画像の拡大または縮小を選択してください。」などという文字情報を表示すると良い。
また、本実施形態では、電子カメラ１の背面に表示部５の液晶モニタ８を備える例を示したが、ユーザにより視認可能な位置であれば、背面でなくても良い。また、表示部５の液晶モニタ８に表示した内容をファインダ１３内に表示するようにしても良い。
【００５０】
また、本実施形態では、全ての操作を複合スイッチ９に集約する例を示したが、別のスイッチを備え、一部の操作を割り当てるようにしても良い。例えば、画像の削除や保護にかかる別のスイッチを備えて、これらの操作を分離すれば、誤操作によって必要な画像を削除してしまうのを防ぐことができる。
【００５１】
【発明の効果】
以上説明したように、本発明によれば、小型化を実現しつつ、操作性の高い電子カメラを提供することができる。
【図面の簡単な説明】
【図１】本実施形態の電子カメラ１の機能ブロック図である。
【図２】本実施形態の電子カメラ１の背面図である。
【図３】本実施形態の電子カメラ１に設けられた複合スイッチ９の正面図および側面図である。
【図４】本実施形態において表示部５の液晶モニタ８に表示される撮影モードメニューの表示例である。
【図５】本実施形態の電子カメラ１の動作を示すフローチャートである。
【図６】本実施形態において表示部５の液晶モニタ８に表示される画像の表示例である。
【図７】本実施形態において表示部５の液晶モニタ８に表示される画像の表示例である。
【図８】本実施形態において表示部５の液晶モニタ８に表示される画像の表示例である。
【図９】本実施形態の電子カメラ１の動作を示すフローチャートである。
【図１０】本実施形態において表示部５の液晶モニタ８に表示される画像の表示例である。
【図１１】本実施形態において表示部５の液晶モニタ８に表示される画像の表示例である。
【符号の説明】
１  電子カメラ
２  撮像部
３  制御部
４  画像処理部
５  表示部
６  記録部
７  操作部
８  液晶モニタ
９  複合スイッチ
１０  機能選択レバー
１１  回転ダイヤル
１２  パッド
１３  ファインダ
８１，８５  選択枠
８２  画像番号
８３  撮影情報
８４  ヒストグラム
【図１】
2005045359.tif 000003
【図２】
2005045359.tif 000004
【図３】
2005045359.tif 000005
【図４】
2005045359.tif 000006
【図５】
2005045359.tif 000007
【図６】
2005045359.tif 000008
【図７】
2005045359.tif 000009
【図８】
2005045359.tif 000010
【図９】
2005045359.tif 000011
【図１０】
2005045359.tif 000012
【図１１】
2005045359.tif 000013